(57)【特許請求の範囲】
【請求項１】
第１の各計算機定義情報記憶手段を備えるその他電子計算機と、
第２の各計算機定義情報記憶手段及びシステム構成情報記憶手段を備えるシステム監視サーバ用電子計算機と、
前記システム監視サーバ用電子計算機又は前記その他電子計算機と接続するモニタとを備える電力系統監視制御装置において、
前記その他電子計算機が前記システム監視サーバ用電子計算機に接続されたことを確認し、前記その他電子計算機の接続ポートに仮アドレスを割り振るＩＰアドレス付与処理手段と、
前記その他電子計算機に対応したシンボルを、前記第１の各計算機定義情報記憶手段に基づいて、前記モニタのレイアウト管理画面に表示する画面シンボル作成処理手段と、
前記レイアウト管理画面における前記その他電子計算機の座標を示す情報を取得し、シンボル座標情報記憶手段に保存するシンボル座標情報記憶手段取得処理手段と、
前記シンボル座標情報記憶手段に保存された前記その他電子計算機の座標から、前記電子計算機のシンボルが、事前に設定された他のシンボルと接続されたことを確認するシンボル接続確認処理手段と、
前記その他電子計算機のネットワーク定義情報を初期設定し、前記初期設定を各計算機ネットワーク定義情報記憶手段に保存する通信設定処理手段とを
備えることを特徴とする電力系統監視制御装置。
【請求項２】
前記通信設定処理手段は、前記その他電子計算機のネットワーク定義情報記憶手段を初期設定し、各計算機ネットワーク定義情報記憶手段に保存し、レイアウト管理画面に初期設定値を表示する
ことを特徴とする請求項１記載の電力系統監視制御装置。
【請求項３】
前記通信設定処理手段によって初期設定されたネットワーク定義情報記憶手段を、利用者がモニタを介して入力した操作に対応した設定値に再設定する設定値変更処理手段を
備えることを特徴とする請求項１又は２記載の電力系統監視制御装置
【請求項４】
前記通信設定処理による初期設定又は前記設定値変更処理部による再設定が完了したことを確認し、システム構成画面を作成し、システム構成画面情報記憶部に保存するシステム構成画面生成処理手段を
備えることを特徴とする請求項１又は２記載の電力系統監視制御装置。
【請求項５】
前記システム構成画面情報記憶部に保存されたシステム構成画面を前記モニタに表示するシステム構成画面表示処理手段と
前記システム構成画面の前記その他電子計算機を示すシンボルに対し、利用者がドラッグ＆ドロップ操作を行ったことを確認し、前記ドラッグ＆ドロップ操作に対応して、前記第１の各計算機定義情報記憶手段、前記各計算機ネットワーク定義情報記憶手段及び前記システム構成画面情報記憶部を更新する各計算機定義情報更新処理手段とを
備えることを特徴とする請求項４記載の電力系統監視制御装置。
【請求項６】
前記システム構成画面に対して、利用者が前記その他電子計算機を表すシンボルに対し、事前に設定された操作を行ったことを確認し、前記第１の各計算機定義情報記憶手段を交換ハードウェアウェア情報記憶手段に保存する交換ハードウェア情報保存処理手段と、
前記その他電子計算機が新たなハードウェアに取替えられた後、利用者により取り替えられた前記その他電子計算機を表すシンボルに対し、事前に設定された操作を行ったことを確認し、前記交換ハードウェア情報記憶手段に保存された前記第１の各計算機定義情報記憶手段に基づいて、取り替えられた前記その他電子計算機のネットワーク定義情報記憶手段を再設定する交換ハードウェア情報再設定処理手段とを
備えることを特徴とする請求項４又は５記載の電力系統監視制御装置。
【請求項７】
前記第１の各計算機定義情報記憶手段、前記第２の各計算機定義情報記憶手段、前記各計算機ネットワーク定義情報記憶手段及び前記システム構成画面情報記憶部に基づいて、ネットワーク構成表を生成する画面表示処理手段と、
利用者により事前に設定された操作が行われたことを確認し、ネットワーク構成表を印刷する印刷指令を出力する印刷要求処理手段と、
前記システム監視サーバ用電子計算機又は前記その他電子計算機に接続されたプリンタに対し、前記印刷要求処理手段によって出力された印刷指令に基づいて、ネットワーク構成表を印刷する印刷要求を出力する印刷処理手段とを
備えることを特徴とする請求項４乃至６のいずれか１項に記載の電力系統監視制御装置。
【請求項８】
前記各計算機定義情報更新処理手段により更新された前記システム構成画面情報記憶部と前記システム構成情報記憶手段とを比較し、差異があるか否かを判断し、差異があると判断された場合は、前記システム構成情報記憶手段を前記システム構成画面情報記憶部に置き換える前記システム矛盾チェック処理手段を
備えることを特徴とする請求項４乃至７のいずれか１項に記載の電力系統監視制御装置。
【請求項９】
前記その他電子計算機にシステム構成を決定する権限を与えるか否かの権限情報をシステム構成設定権限情報記憶手段に保存するシステム構成設定権限付与処理手段と、
前記システム構成画面生成処理手段により、前記システム構成画面を前記システム構成画面情報記憶部に保存する場合に、前記システム構成設定権限情報記憶手段に保存された権限情報記憶手段に基づいて、前記システム構成画面生成処理手段を実行させるか否かを判定する前記システム構成設定権限判定処理手段とを
備えることを特徴とする請求項４乃至８のいずれか１項に記載の電力系統監視制御装置。
【発明の詳細な説明】
【技術分野】
【０００１】
本発明の実施形態は、計算機設定又はネットワーク設定作業が効率化された電力系統監視制御装置に関する。
【背景技術】
【０００２】
電力系統に設置された電気設備の監視・制御には電力系統監視制御装置が用いられている。この電力系統監視制御装置は近年の監視・制御の集中化に伴い、複数の電子計算機同士を、ネットワークを用いて接続されている。この複数の電子計算機のうち、少なくとも１つはシステム監視サーバ用電子計算機とされ、直接又はネットワークを介して接続される電子計算機、プリンタ等周辺機器等のシステム監視を行っている。
【０００３】
このように、装置が大型化・複雑化しているため、システム内に新たに計算機を設置する場合や、システム内に設置された計算機を置換する場合に行う、計算機設定やネットワーク設定の内容、手順も同様に複雑化している。
【先行技術文献】
【特許文献】
【０００４】
【特許文献１】特開２０１０−５１０７７号公報
【発明の概要】
【発明が解決しようとする課題】
【０００５】
上述したように、近年の電力系統監視制御装置において、計算機設定やネットワーク設定の内容、手順は複雑化している。この複雑な計算機設定やネットワーク設定は、作業員により、新たに設定を行う計算機に対して設定用の機器を接続し、この設定用の機器を使用して、個別に行っていたため、作業が煩雑になるという課題があった。
【０００６】
本発明の実施形態は、計算機設定又はネットワーク設定作業を効率化可能な電力系統監視制御装置を提供することを目的とする。
【課題を解決するための手段】
【０００７】
本発明に係る実施形態は、第１の各計算機定義情報を備えるその他電子計算機と、第２の各計算機定義情報及びシステム構成情報を備えるシステム監視サーバ用電子計算機と、前記システム監視サーバ用電子計算機又は前記その他電子計算機と接続するモニタとを備える電力系統監視制御装置において、前記その他電子計算機が前記システム監視サーバ用電子計算機に接続されたことを確認し、前記その他電子計算機の接続ポートに仮アドレスを割り振るＩＰアドレス付与処理手段と、前記その他電子計算機に対応したシンボルを、前記第１の各計算機定義情報に基づいて、前記モニタのレイアウト管理画面に表示する画面シンボル作成処理手段と、前記レイアウト管理画面における前記その他電子計算機の座標を示す情報を取得し、シンボル座標情報に保存するシンボル座標情報取得処理手段と、前記シンボル座標情報に保存された前記その他電子計算機の座標から、前記電子計算機のシンボルが、事前に設定された他のシンボルと接続されたことを確認するシンボル接続確認処理手段と、前記その他電子計算機のネットワーク定義情報を初期設定し、前記初期設定を各計算機ネットワーク定義情報に保存する通信設定処理手段とを備えることを特徴とする。
【図面の簡単な説明】
【０００８】
【図１】第１の実施形態の電力系統監視制御装置における構成を示す図。
【図２】第１の実施形態の電力系統監視制御装置における動作を示すフローチャート。
【図３】第２の実施形態の電力系統監視制御装置における構成を示す図。
【図４】第２の実施形態の電力系統監視制御装置におけるシステム構成画面を示す図。
【図５】第３の実施形態の電力系統監視制御装置における構成を示す図。
【図６】第４の実施形態の電力系統監視制御装置における構成を示す図。
【図７】第４の実施形態の電力系統監視制御装置における構成表を示す図。
【図８】第５の実施形態の電力系統監視制御装置における構成を示す図。
【図９】第６の実施形態の電力系統監視制御装置における構成を示す図。
【発明を実施するための形態】
【０００９】
以下、本発明に係る電力系統監視制御装置の実施形態について、図面を参照して説明する。
【００１０】
（第１の実施形態）
本実施形態の電力系統監視制御装置の構成について図１を用いて説明する。図１は、電力系統監視制御装置の構成を示すブロック図である。
【００１１】
電力系統監視制御装置１は、Ａ制御所６−１、Ｂ制御所６−２とから構成され、これらの制御所はシステム連携ネットワーク網５を介して接続されている。Ａ制御所６−１は、システム監視サーバ用電子計算機２−１、その他電子計算機２−２、プリンタ等の周辺機器３が設置されており、これらはＨＵＢ４を介して接続されている。さらに、システム監視サーバ用電子計算機２−１にはモニタ９が接続されている。
【００１２】
Ｂ制御所６−２は、その他電子計算機２−２、プリンタ等の周辺機器３が設置されており、これらはＨＵＢ４を介して接続されている。
【００１３】
以降、Ａ制御所６−１のその他電子計算機２−２を新たに追加し、計算機設定及びネットワーク設定等の設定作業を行う場合について説明する。
【００１４】
Ａ制御所６−１に設置されたシステム監視サーバ用電子計算機２−１は、各計算機定義情報記憶部７−１、システム構成情報記憶部７−２、シンボル座標情報記憶部７−３、各計算機ネットワーク定義情報記憶部７−４、システム構成画面情報記憶部７−５、ＩＰアドレス付与処理部１１−１、シンボル作成処理部１１−２、シンボル座標情報記憶部取得処理部１１−３、シンボル接続確認処理部１１−４、通信設定処理部１１−５、設定値変更処理部１１−６、システム構成画面生成処理部１１−７を備える。
【００１５】
Ａ制御所６−１及びＢ制御所６−２に設置されているその他電子計算機２−２には、各計算機定義情報記憶部７−１を備える。
【００１６】
各計算機定義情報記憶部７−１は、計算機のネットワークＩＰアドレス、ゲートウェイ、サブネットマスク等に関する各計算機定義情報を記憶している。
【００１７】
システム構成情報記憶部７−２は、電力系統監視制御装置１に設置されている全ての計算機（ここでは、システム監視サーバ用電子計算機２−１及び２つのその他電子計算機２−２）が備える各計算機定義情報記憶部７−１に記憶された各計算機定義情報を集約したシステム構成情報を記憶している。このシステム構成情報記憶部７−２は、集約する各計算機定義情報記憶部７−１に保存された各計算機定義情報に変更があった場合、手動で更新し、自動的に更新されない。
【００１８】
ＩＰアドレス付与処理部１１−１は、設定作業を行うＡ制御所６−１のその他電子計算機２−２の接続ポートへ仮アドレスを割り振る。（以下、仮アドレスを割り振ったその他電子計算機を追加計算機とする。）
シンボル作成処理部１１−２は、ＩＰアドレス付与処理部１１−１により仮アドレスが付与されたその他電子計算機２−２に対応した追加計算機のシンボルをモニタ９のレイアウト管理画面１０−１の機器シンボル欄へ追加する。
【００１９】
シンボル座標情報取得処理部１１−３は、モニタ９のレイアウト画面における追加計算機の座標を示すシンボル座標情報を取得し、シンボル座標情報記憶部７−３に保存する。
【００２０】
シンボル接続確認処理部１１−４は、シンボル座標情報記憶部７−３に保存された追加計算機のシンボル座標から、追加計算機とレイアウト画面に表示されている他のシンボルが接続されたことを確認すると、シンボル座標を確定する。
【００２１】
通信設定処理部１１−５は、追加計算機のポート設定及びＩＰアドレス設定等を初期設定し、この初期設定値を各計算機ネットワーク定義情報記憶部７−４に保存し、レイアウト管理画面１０−１の機器シンボルプロパティ欄に初期設定値を表示する。
【００２２】
設定値変更処理部１１−６は、初期設定値を変更する場合に、ユーザがレイアウト画面に表示されているシンボルを選択したことを確認し、レイアウト管理画面１０−１に新たに変更後の設定値を入力するウィンドウを表示し、入力された設定値を再設定する。
【００２３】
システム構成画面生成処理部１１−７は、設定作業を行う計算機について、通信設定処理部１１−５による初期設定又は設定値変更処理部１１−６による再設定が完了した完了したことを確認して、システム構成画面を生成し、システム構成画面情報記憶部７−５に保存する。
【００２４】
上述した構成における本実施形態の電力系統監視制御装置１において、Ａ制御所６−１のその他電子計算機２−２を新たに追加し、計算機設定及びネットワーク設定等の設定作業を行う場合の動作について、図２を用いて説明する。図２は、本実施形態の電力系統監視制御装置１の動作を示すフローチャートである。
【００２５】
まず、システム監視サーバ用電子計算機２−１へ直接またはネットワーク機器を介して接続しＡ変電所６−１のその他電子計算機２−２を接続されたことを確認する（Ｓ１）。
【００２６】
ＩＰアドレス付与処理部１１−１にて、設定作業を行うその他電子計算機２−２の接続ポートへ仮アドレスを割り振ることにより、追加機器設定をリモートにて実施可能とする（Ｓ２）。
【００２７】
シンボル作成処理部１１−２により、レイアウト管理画面１０−１の機器シンボル欄へ設定作業を行うその他電子計算機２−２に対応したシンボルである追加計算機シンボル１０ａを表示する（Ｓ３）。
【００２８】
利用者が、追加計算機シンボル１０ａをレイアウト管理画面１０−１のレイアウト画面へドラッグ＆ドロップ操作を行い、シンボル座標情報取得処理１１−３により追加計算機シンボル１０ａの座標を取得し、シンボル座標情報記憶部７−３に保存する。（Ｓ４）。
【００２９】
シンボル接続確認処理１１−４により、シンボル座標情報記憶部７−３に保存されている追加計算機シンボル１０ａの座標に基づいて、追加計算機シンボル１０ａとレイアウト画面に表示されている他のシンボルが接続されたことを確認する（Ｓ５）。
【００３０】
通信設定処理部１１−５により、設定作業を行う機器に対して、追加計算機シンボル１０ａが接続する箇所に対応したポート設定及びIPアドレス設定等を設定し、各計算機ネットワーク定義情報記憶部７−４にネットワーク定義情報として保存する（Ｓ６）。
【００３１】
レイアウト管理画面１０−１の機器シンボルプロパティ欄へ通信設定処理部１１−５によって設定されたネットワーク定義情報を表示する（Ｓ７）。
【００３２】
また、利用者が、レイアウト画面に表示されたネットワーク定義情報を認識した後、このネットワーク定義情報の変更が必要であると判断した場合（Ｓ８のＹｅｓ）は、利用者によって設定計算機シンボルが選択される。設定値変更処理部１１−６により、利用者が設定計算機シンボルを選択したことを確認し、レイアウト画面１０−１に変更後の設定値を入力する変更ウィンドウを表示し、利用者によって設定値が変更ウィンドウに入力された場合は、入力された設定値を再設定する（Ｓ９）。
【００３３】
システム構成画面生成処理部１１−７により、設定作業を行う計算機について、通信設定処理部１１−５による初期設定又は設定値変更処理部１１−６による再設定が完了したことを確認して、システム構成画面を生成し、システム構成画面情報記憶部７−５に保存する（Ｓ１０）。
【００３４】
本実施形態によれば、通信設定処理部１１−５により追加計算機のポート設定及びＩＰアドレス設定等を初期設定しているため、電力系統監視制御装置１の初期設定をヒューマンインターフェース環境にて自動設定が可能となり、作業ミスの低減及び作業の効率化を図ることができる。
【００３５】
さらに、通信設定処理部１１−５により初期設定された設定値を各計算機ネットワーク定義情報記憶部７−４に保存し、レイアウト管理画面１０−１の機器シンボルプロパティ欄に初期設定値を表示しているため、利用者は設定値を容易に確認することが可能である。
【００３６】
また、設定値変更処理部１１−６を設置しているため、通信設定処理部１１−５により表示された設定値を利用者が確認した後、設定値を再設定することが可能である。
【００３７】
なお、システム構成画面情報記憶部７−５に保存されたシステム構成画面を表示するシステム構成画面表示処理部をさらに備えることによって、システム構成画面を利用者は容易に確認可能である。
【００３８】
（第２の実施形態）
本実施形態の電力系統監視制御装置１の構成について図３を用いて説明する。図３は、電力系統監視制御装置１の構成を示すブロック図である。図１と同一の構成には同一の符号を付し、説明は省略する。
【００３９】
本実施形態の構成が第１の実施形態の構成と異なる点は、システム構成画面表示処理部１１−１８、各計算機定義情報更新処理部１１−８を備える点である。
【００４０】
システム構成画面表示処理部１１−１８は、システム構成画面情報記憶部７−５に保存されたシステム構成画面をモニタ９に表示させる。
【００４１】
各計算機定義情報更新処理部１１−８は、システム構成画面生成処理部１１−７により生成されたシステム構成画面の計算機を表すシンボル等に対し、利用者がドラッグ＆ドロップ操作を行ったことを確認し、その利用者の操作に対応して各計算機定義情報記憶部７−１、各計算機ネットワーク定義情報記憶部７−４、システム構成画面情報記憶部７−５を更新する。
【００４２】
ここで、システム構成画面生成処理部１１−７により作成されたシステム構成画面の例を示す図４を用いて説明する。Ａ制御所は、サーバ１、サーバ２、クライアント１を備え、夫々ＨＵＢに接続されている。Ｂ制御所はサーバ１、クライアント２を備え、夫々ＨＵＢに接続されている。Ａ制御所のＨＵＢとＢ制御所のＨＵＢは、システム連携ネットワーク網を介して接続されている。
【００４３】
Ａ制御所のサーバ２をＢ制御所のサーバ２に設定変更を行う場合、モニタ９に表示される図４のシステム構成画面において、利用者がマウス等を用いてＡ制御所のサーバ２のシンボルをＢ制御所のサーバ２の位置にドラッグ＆ドロップ操作を行う。
【００４４】
各計算機定義情報更新処理部１１−８は、利用者によってドラッグ＆ドロップ操作が行われたことを確認し、各計算機定義情報記憶部７−１、各計算機ネットワーク定義情報記憶部７−４及びシステム構成画面情報記憶部７−５を、Ａ制御所のサーバ２の設定からＢ制御所のサーバ２の設定に変更する。
【００４５】
本実施形態によれば、第１の実施形態の効果に加え、システム構成画面上で機器の追加や接続の変更等が可能であるため、さらに作業ミスの低減及び作業の効率化を図ることができる。
【００４６】
（第３の実施形態）
本実施形態の電力系統監視制御装置１の構成について図５を用いて説明する。図５は、電力系統監視制御装置１の構成を示すブロック図である。図１と同一の構成には同一の符号を付し、説明は省略する。
【００４７】
本実施形態の構成が第１の実施形態の構成と異なる点は、システム監視サーバ用電子計算機２−１に、交換ハードウェア情報記憶部７−６、交換ハードウェア情報保存処理部１１−９、交換ハードウェア情報再設定処理部１１−１０を備える点である。
【００４８】
交換ハードウェア情報保存処理部１１−９は、システム構成画面生成処理部１１−７により生成されたシステム構成画面に対して、利用者が交換対象ハードウェアの保存を表すシンボルを選択したことを確認し、この交換対象ハードウェアの各計算機定義情報記憶部７−１に保存された各計算機定義情報を収集し、交換ハードウェア情報記憶部７−６に保存する。
【００４９】
交換ハードウェア情報再設定処理部１１−１０は、交換対象ハードウェアが新たなハードウェアに取替えられた後、利用者が交換対象ハードウェアの再設定を表すシンボルを選択したことを確認し、交換ハードウェア情報記憶部７−６に保存された各計算機定義情報に基づいて、ネットワーク定義情報の再設定を行う。
【００５０】
交換対象ハードウェアを新たなハードウェアに取替える場合、取替え後の新たなハードウェアに対して、ネットワーク設定を行う必要がある。この取替え作業を行う場合の電力系統監視制御装置１の動作について説明する。
【００５１】
システム構成画面生成処理部１１−７により生成されたシステム構成画面に対して、利用者が交換対象ハードウェアの保存を表すシンボルを選択する。
【００５２】
交換ハードウェア情報保存処理部１１−９は、利用者によって交換対象ハードウェアの保存を表すシンボルが選択されたことを確認し、取替え前の交換対象ハードウェアに保存された各計算機定義情報を交換ハードウェア情報記憶部７−６に保存する。
【００５３】
次に、利用者が交換対象ハードウェアを、ネットワーク設定されていない新たなハードウェアに取替える。
【００５４】
システム構成画面生成処理部１１−７により生成されたシステム構成画面に対して、利用者が交換対象ハードウェアの再設定を表すシンボルを選択する。
【００５５】
交換ハードウェア情報再設定処理部１１−１０は、利用者によって交換対象ハードウェアの再設定を表すシンボルが選択されたことを確認し、交換ハードウェア情報記憶部７−６に保存された各計算機定義情報に基づいて、新たなハードウェアのネットワーク設定を行う。
【００５６】
本実施形態によれば、第１の実施形態の効果に加え、電力系統監視制御装置１のハードウェアの装置交換を実施後、利用者によるモニタ操作により視覚的にネットワーク設定を行うことが出来る。
【００５７】
なお、本実施形態での交換対象ハードウェアは、その他電子計算機２−２として説明したが、周辺機器３、ＨＵＢ４等、電力系統監視制御装置１に設置される機器のうち、ネットワーク設定が必要な機器であれば何れでもよく、周辺機器３、ＨＵＢ４等には、各計算機定義情報記憶部７−１に代えて、夫々の各機器にハードウェア定義情報を備える必要がある。
【００５８】
（第４の実施形態）
本実施形態の電力系統監視制御装置１の構成について図６を用いて説明する。図６は、電力系統監視制御装置１の構成を示すブロック図である。図１と同一の構成には同一の符号を付し、説明は省略する。
【００５９】
本実施形態の構成が第１の実施形態の構成と異なる点は、Ａ制御所のシステム監視サーバ用電子計算機２−１に、画面表示処理部１１−１１、印刷要求処理部１１−１２、印刷処理部１１−１３とを備え、Ａ制御所の周辺機器３をプリンタ１２としている点である。
【００６０】
画面表示処理部１１−１１は、各計算機定義情報記憶部７−１、各計算機ネットワーク定義情報記憶部７−４及びシステム構成画面情報記憶部７−５に基づいて、ネットワーク構成表を生成し、印刷要求シンボルと共にモニタに表示する。
【００６１】
ここで、モニタに表示するネットワーク構成表の一例を図７に示す。図７には、計算機名、ＩＰアドレス、各種設定値（設定値Ａ、設定値Ｂ）を記している。なお、このネットワーク構成表に、各計算機のＩＰアドレス等の変更履歴を記しても良い。
【００６２】
印刷要求処理部１１−１２は、利用者によって印刷要求シンボルが選択されたことを確認し、モニタに表示されているネットワーク構成一覧表を印刷する印刷指令を印刷処理部１１−１３に出力する。
【００６３】
印刷処理部１１−１３は、印刷要求処理部１１−１２から出力された印刷指令に基づいて、プリンタ１２に印刷要求を出力し、プリンタ１２からネットワーク構成一覧表を印刷する。
【００６４】
本実施形態によれば、第１の実施形態の効果に加え、電力系統監視制御装置１でのシステム構成におけるネットワーク構成又は、当該ネットワーク構成の変更履歴を印刷物により確認・管理できる。
【００６５】
（第５の実施形態）
本実施形態の電力系統監視制御装置１の構成について図８を用いて説明する。図８は、電力系統監視制御装置１の構成を示すブロック図である。図１と同一の構成には同一の符号を付し、説明は省略する。
【００６６】
本実施形態の構成が第２の実施形態の構成と異なる点は、Ａ制御所のシステム監視サーバ用電子計算機２−１に、矛盾チェック処理部１１−１４を備える点である。
【００６７】
矛盾チェック処理部１１−１４は、各計算機定義情報更新処理部１１−８によって更新されたシステム構成画面情報記憶部７−５とシステム構成情報記憶部７−２とを比較し、差異があるか否かを判断し、差異があると判断された場合は、システム構成情報記憶部７−２をシステム構成画面情報記憶部７−５に置き換える。
【００６８】
本実施形態によれば、第２の実施形態の効果に加え、矛盾チェック処理部１１−１４を追加することにより、第２の実施形態に示すような構成の変更が生じた場合などでも、システム構成情報記憶部７−２とシステム構成画面情報記憶部７−５とに差異が生じ矛盾が発生することがなくなる。
【００６９】
（第６の実施形態）
本実施形態の電力系統監視制御装置１の構成について図９を用いて説明する。図９は、電力系統監視制御装置１の構成を示すブロック図である。図１と同一の構成には同一の符号を付し、説明は省略する。
【００７０】
本実施形態の構成が第１の実施形態の構成と異なる点は、その他電子計算機２−２がシステム構成設定権限情報記憶部７−８を備え、Ａ制御所のシステム監視サーバ用電子計算機２−１が、システム構成設定権限情報記憶部７−８、システム構成設定権限付与処理部１１−１６、システム構成設定権限判定処理部１１−１７を備える点である。
【００７１】
システム構成設定権限付与処理部１１−１６は、その他電子計算機２−２にシステム構成を決定する権限を与えるか否かの情報をシステム構成設定権限情報記憶部７−８に保存する。
【００７２】
システム構成設定権限判定処理部１１−１７は、利用者によりシステム構成画面生成処理部１１−７に実施指令が入力された場合に、システム構成設定権限情報記憶部７−８に保存された情報に基づいて、システム構成画面生成処理部１１−７を実施させるか否かを決定する。
【００７３】
本実施形態によれば、第１の実施形態の効果に加え、権限を付与している電子計算機以外では、システム構成を決定することが出来なくなり、高信頼度を持つ電力系統監視制御装置１を提供することが可能である。
【００７４】
本発明に係る実施形態によれば、計算機設定やネットワーク設定作業を効率化可能な電力系統監視制御装置を提供することが可能である。
【００７５】
以上、本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれると共に、特許請求の範囲に記載された発明とその均等の範囲に含まれる。
【符号の説明】
【００７６】
１…電力系統監視制御装置
２−１…システム監視サーバ用電子計算機
２−２…その他電子計算機
３…周辺機器
４…ＨＵＢ
５…システム連携ネットワーク網
６−１…Ａ制御所
６−２…Ｂ制御所
７−１…各計算機定義情報記憶部
７−２…システム構成情報記憶部
７−３…シンボル座標情報記憶部
７−４…各計算機ネットワーク定義情報記憶部
７−５…システム構成画面情報記憶部
７−６…交換ハードウェア情報記憶部
７−７…システム構成表示情報記憶部
７−８…システム構成設定権限情報記憶部
９…モニタ
１０−１…レイアウト管理画面
１１−１…ＩＰアドレス付与処理部
１１−２…画面シンボル作成処理部
１１−３…シンボル座標情報取得処理部
１１−４…シンボル接続確認処理部
１１−５…通信設定処理部
１１−６…設定値変更処理部
１１−７…システム構成画面生成処理部
１１−８…各計算機定義情報更新処理部
１１−９…交換ハードウェア情報保存処理部
１１−１０…交換ハードウェア情報再設定処理部
１１−１１…画面表示処理部
１１−１２…印刷要求処理部
１１−１３…印刷処理部
１１−１４…矛盾チェック処理部
１１−１５…システム構成情報設定処理部
１１−１６…システム構成設定権限付与処理部
１１−１７…システム構成設定権限判定処理部
１１−１８…システム構成画面表示処理部
【図１】
0005485059.tif 000002
【図２】
0005485059.tif 000003
【図３】
0005485059.tif 000004
【図４】
0005485059.tif 000005
【図５】
0005485059.tif 000006
【図６】
0005485059.tif 000007
【図７】
0005485059.tif 000008
【図８】
0005485059.tif 000009
【図９】
0005485059.tif 000010